(57)【要約】【課題】本発明は、冷凍倉庫の中で液晶画面の応答が遅くなることを防止でき、周囲温度に基づく設定や制御を集約したバッテリ式作業車両の表示装置を提供することを目的とする。【解決手段】外気温を測定する温度センサ４９と、液晶パネル４２の液晶を暖めるヒータ抵抗４４と、ヒータ抵抗４４ヘ電力を供給するヒータスイッチ５４と、液晶パネル４２の電極に印加する電圧を制御し液晶濃度を制御する電圧制御部６１を備え、バッテリ３６のタイマー制御充電のタイマー時間を、温度センサ４９により測定される外気温が高くなるにしたがって短く設定し、また前記外気温が液晶パネル４２の使用温度範囲より低くなると、ヒータスイッチ５４によりヒータ抵抗４４へ電力を供給して液晶を暖め、また前記外気温が低くなるにしたがって、電圧制御部６１により液晶パネル４２の液晶濃度を濃くする制御を行う。【選択図】図５
2010058713.tif 000002
【特許請求の範囲】
【請求項１】
液晶パネルを備え、タイマー制御充電が行われるバッテリより給電されるバッテリ式作業車両に取り付けられ、低温環境で使用される表示装置であって、
周囲温度を測定する温度検出手段と、
前記液晶パネルの液晶をパネル外部より暖める加熱手段と、
前記タイマー制御充電のタイマー時間を設定する充電時間設定手段と、
前記加熱手段を制御する加熱制御手段と、
前記液晶パネルの液晶濃度を制御する液晶濃度制御手段
を備え、
前記充電時間設定手段は、前記温度検出手段により測定される周囲温度が高くなるにしたがって、前記タイマー時間を短く設定し、
前記加熱制御手段は、前記温度検出手段により測定される周囲温度が、前記液晶パネルの使用温度範囲より低くなると、前記加熱手段へ電力を供給して液晶を暖め、
前記液晶濃度制御手段は、前記温度検出手段により測定される周囲温度が低くなるにしたがって、液晶パネルの液晶濃度を濃くする制御を行うこと
を特徴とするバッテリ式作業車両の表示装置。
【請求項２】
前記充電時間設定手段、加熱制御手段および液晶濃度制御手段は、基板に搭載されたコンピュータから構成され、
前記加熱手段は、前記基板に取り付けられ、前記液晶パネルと前記基板との間に位置するヒータ抵抗により構成されたこと
を特徴とする請求項１に記載のバッテリ式作業車両の表示装置。
【請求項３】
前記加熱制御手段は、前記温度検出手段により測定される周囲温度が低くなるにしたがって前記ヒータ抵抗へ供給する電力を増すこと
を特徴とする請求項２に記載のバッテリ式作業車両の表示装置。
【請求項４】
前記液晶パネルの液晶濃度を設定する濃度設定手段を備え、
前記液晶濃度制御手段は、前記濃度設定手段により設定された液晶パネルの液晶濃度を、前記周囲温度により設定される液晶濃度補正値により補正して制御すること
を特徴とする請求項１〜請求項３のいずれか１項に記載のバッテリ式作業車両の表示装置。
【発明の詳細な説明】
【技術分野】
【０００１】
本発明は、液晶パネルを備え、低温環境で使用されるバッテリ式作業車両の表示装置に関るものである。
【背景技術】
【０００２】
従来の低温環境で使用される前記表示装置の一例が特許文献１に開示されている。
特許文献１に開示されている表示装置は、冷凍倉庫での荷役作業に使用されるフォークリフトの移動端末装置を構成しており、該移動端末装置には、透明パネルが嵌め込まれた開口部と、この開口部の内側に配置されたＬＣＤ表示パネルと、前記開口部とＬＣＤ表示パネルとの間に配置された透明ヒータと、この透明ヒータのオン／オフを制御するヒータ制御手段と、前記ＬＣＤ表示パネルの温度を検出する温度センサと、この温度センサの検出値に基づいて前記ＬＣＤ表示パネルの電極に印加する電圧を調整する輝度調整手段が設けられている。
【０００３】
上記構成により、透明ヒータによる加熱により透明パネルの結露を防止し、また温度センサの検出値に基づいてＬＣＤ表示パネルに印加する電極電圧を調整して、ＬＣＤ表示パネルの温度変化による表示特性の変化を防止している。
【特許文献１】特開平６−３３４５５５号公報
【発明の開示】
【発明が解決しようとする課題】
【０００４】
従来の表示装置において、透明パネルは透明ヒータにより加熱されて結露が防止されているが、ＬＣＤ表示パネルの液晶の温度は管理されていない。したがって、冷凍倉庫の中の温度は極低温｛例えば（−）３０℃｝であり、ＬＣＤ表示パネルの使用温度範囲（例えば、５〜４０℃）を大きく下回るために、ＬＣＤ表示パネルの液晶（材料）の応答が遅く、液晶画面の切り替えに時間がかかるという問題があった。例えば、（−）３０℃となると、常温では０．１秒で液晶画面が切り替わるところ、３０秒もかかることがあった。
【０００５】
また温度センサはＬＣＤ表示パネルの温度を検出し、ＬＣＤ表示パネルに印加する電極電圧の調整のみに使用しているが、フォークリフトには周囲温度により充電特性が変わるバッテリがあるため、このバッテリの充電の制御に温度センサの検出値を使用することが望まれている。
【０００６】
そこで、本発明は、冷凍倉庫の中で液晶画面の応答が遅くなることを防止でき、周囲温度に基づく設定や制御を集約したバッテリ式作業車両の表示装置を提供することを目的としたものである。
【課題を解決するための手段】
【０００７】
前述した目的を達成するために、本発明のうち請求項１に記載の発明は、液晶パネルを備え、タイマー制御充電が行われるバッテリより給電されるバッテリ式作業車両に取り付けられ、低温環境で使用される表示装置であって、
周囲温度を測定する温度検出手段と、前記液晶パネルの液晶をパネル外部より暖める加熱手段と、前記タイマー制御充電のタイマー時間を設定する充電時間設定手段と、前記加熱手段を制御する加熱制御手段と、前記液晶パネルの液晶濃度を制御する液晶濃度制御手段を備え、
前記充電時間設定手段は、前記温度検出手段により測定される周囲温度が高くなるにしたがって、前記タイマー時間を短く設定し、前記加熱制御手段は、前記温度検出手段により測定される周囲温度が、前記液晶パネルの使用温度範囲より低くなると、前記加熱手段へ電力を供給して液晶を暖め、前記液晶濃度制御手段は、前記温度検出手段により測定される周囲温度が低くなるにしたがって、液晶パネルの液晶濃度を濃くする制御を行うことを特徴とするものである。
【０００８】
上記構成によれば、温度検出手段により測定される周囲温度が、液晶パネルの使用温度範囲より低くなると、加熱手段により液晶が暖められることにより、低温により液晶パネルの画面の応答速度が低下することが防止され、また前記温度検出手段により測定される周囲温度に基づいて、バッテリの充電時間（タイマー時間）が設定され、液晶濃度が制御されることにより、周囲温度に基づく設定や制御を集約され、コストが低減される。
【０００９】
また請求項２に記載の発明は、請求項１に記載の発明であって、前記充電時間設定手段、加熱制御手段および液晶濃度制御手段は、基板に搭載されたコンピュータから構成され、前記加熱手段は、前記基板に取り付けられ、前記液晶パネルと前記基板との間に位置するヒータ抵抗により構成されたことを特徴とするものである。
【００１０】
上記構成によれば、液晶パネルの液晶は、液晶パネルと基板との間に位置されたヒータ抵抗により加熱される。このとき、ヒータ抵抗には、取り付けられた基板から電源が供給され、ヒータ抵抗へのケーブル等の電源ラインの引き回しが不要となる。
【００１１】
また請求項３に記載の発明は、請求項２に記載の発明であって、前記加熱制御手段は、前記温度検出手段により測定される周囲温度が低くなるにしたがって前記ヒータ抵抗へ供給する電力を増すことを特徴とするものである。
【００１２】
上記構成によれば、周囲温度が低くなるにしたがってヒータ抵抗へ供給する電力が増されて、ヒータ抵抗より発生する熱は増し、液晶パネルの液晶の温度が使用温度範囲に維持される。
【００１３】
また請求項４に記載の発明は、請求項１〜請求項３のいずれか１項に記載の発明であって、前記液晶パネルの液晶濃度を設定する濃度設定手段を備え、前記液晶濃度制御手段は、前記濃度設定手段により設定された液晶パネルの液晶濃度を、前記周囲温度により設定される液晶濃度補正値により補正して制御することを特徴とするものである。
【００１４】
上記構成によれば、濃度設定手段により設定された液晶パネルの液晶濃度が、周囲温度により設定される液晶濃度補正値により補正されて調整され、周囲温度が変化しても作業者の好みの液晶濃度に合わせて調整される。
【発明の効果】
【００１５】
本発明のバッテリ式作業車両の表示装置は、温度検出手段により測定される周囲温度が、液晶パネルの使用温度範囲より低くなると加熱手段により液晶が暖められることにより、低温により液晶パネルの画面の応答速度が低下することを防止でき、また１台の温度検出手段により測定される周囲温度に基づいて、バッテリの充電時間が設定され、液晶濃度が制御されることにより、周囲温度に基づく設定や制御を集約でき、コストを低減できる、という効果を有している。
【発明を実施するための最良の形態】
【００１６】
以下、本発明の実施の形態を図面に基づいて説明する。
図１は本発明の実施の形態におけるバッテリ式作業車両の表示装置を搭載したリーチ式バッテリフォークリフトの側面図、図２はバッテリフォークリフトの本体部の後部上方斜視図である。
「リーチ式バッテリフォークリフト」
リーチ式バッテリフォークリフト（バッテリ式作業車両の一例）１０は、図１および図２に示すように、密閉構造の本体部１１と荷役部（作業装置）２１から構成されている。
【００１７】
本体部１１に運転操作部１２が設けられ、本体部１１の前方下部両側から前方に左右一対のアウトリガー部（またはリーチ部）１３が突出されている。
また本体部１に走行装置１８が設けられ、この走行装置１８は、本体部１１に内蔵されるドライブモータ３８（後述する）と、左後部に設けられて前記ドライブモータ３５により走行駆動されるドライブ輪１８Ａと、右後部に設けられるキャスタ輪１８Ｂと、左右のアウトリガー部１３の前部にそれぞれ設けられるトレール輪１８Ｃから構成されている。
【００１８】
また前記荷役部２１は、アウトリガー部１３の内面に溝型に形成されたレール部１３ａに、ローラ２３ａを介して支持案内されて前方に出退自在な移動体２３と、この移動体２３に立設されたリフト装置２４から構成されている。該リフト装置２４は、本体部１１に設けられたリーチシリンダ２５により移動体２３を出退させることによって出退自在とされている。
【００１９】
また前記リフト装置２４は、移動体２３に立設された左右一対の外マスト２６と、これら外マスト２６の内方に沿って案内される左右一対の内マスト（図示せず）と、内マストを昇降させるリフトシリンダ２７と、内マストに昇降自在に支持されるキャリッジ２８と、キャリッジ２８に支持された左右一対のフォーク部材２９と、外マスト２６の下部とキャリッジ２８とを内マストに設けたスプロケット（図示せず）を介して連結するチェーン（図示せず）から構成され、リフトシリンダ２７により内マストを昇降させると、チェーンによりキャリッジ２８は倍速で昇降移動される。また前述したようにリーチシリンダ２５によりリフト装置２４を出退させることによりフォーク部材２９は出退される。またこのリフト装置２４は、移動体２３に設けられたチルトシリンダ（図示せず）により所定角度範囲で前後に傾動される。
【００２０】
前記運転操作部１２は、本体部１１の背面右部から作業者が乗り降り可能な乗降床１４ａを有する乗降部１４と、この乗降部１４の前部上面に配置された前面パネル部１５と、左部上面のカバー部１９とを具備し、前面パネル部１５に、右側からアクセルレバー、荷役部２１の出退用のリーチレバー、リフト装置２４の傾動用のチルトレバー、フォーク部材２９の昇降用のリフトレバーなどの操作レバー装置１６が配置されている。またカバー部１９にステアリングハンドル１７が設けられている。
【００２１】
また前面パネル部１５の左側に、透明カバー（パネル）３２を介して本発明の液晶表示装置（表示装置）３１が設置され、さらに図４に詳細に示す、「Ｍキー」「＋キー」「−キー」等を備えた操作スイッチパネル３３が配置されている。また前面パネル部１５の右側にキースイッチ３４が配置されている。
【００２２】
さらに本体部１１の内部には、前側に駆動用のバッテリ（蓄電池）３６が交換可能に搭載され、またリフトシリンダ２７やチルトシリンダ、リーチシリンダ２５に駆動油を供給する油圧ポンプユニット駆動用のポンプモータ３７、および前記ドライブモータ３８が設置され、バッテリ３６からポンプモータ３７へ電源を投入するしゃ断器３７Ａ（図４）、およびバッテリ３６からドライブモータ３８へ電源を投入するしゃ断器３８Ａ（図４）が設けられ、さらにバッテリ３６をタイマー制御充電する充電器パネル（バッテリ充電制御手段）４０が設けられている。前記しゃ断器３７Ａおよびしゃ断器３８Ａが閉駆動されると、バッテリ３６からポンプモータ３７およびドライブモータ３８に給電される。
【００２３】
なお、ポンプモータ３７に連結された油ポンプ、またこの油ポンプから吐出される駆動油を、操作レバー装置１６のリーチレバーの操作に応じてリーチシリンダ２５へ供給する油圧回路、チルトレバーの操作に応じてチルトシリンダへ供給する油圧回路、およびリフトレバーの操作に応じてリフトシリンダ２７へ供給する油圧回路、さらにアクセルレバーの操作に応じてドライブモータ３８の回転数を可変してドライブ車輪１８Ａへ伝達する走行機構、ステアリングハンドル１７の操作に応じてドライブ車輪１８Ａを旋回するステアリング機構については説明を省略する。これら油圧回路、機構を使用してリーチ式バッテリフォークリフト１０は、操作レバー装置１６とステアリングハンドル１７により操作され荷役作業が実施される。
【００２４】
「液晶表示装置３１」
液晶表示装置３１は、図３に示すように、液晶パネル４２とメータパネル（基板の一例）４３から構成され、メータパネル４３の液晶パネル４２側には、液晶パネル４２の液晶をパネル外部から暖める、リード抵抗からなる複数個（例えば１２個）のヒータ抵抗（加熱手段の一例）４４が配置され、ヒータ抵抗４４は液晶パネル４２とメータパネル４３との間に位置されている。
【００２５】
メータパネル４３は、図４に示すように、キースイッチ３４と操作スイッチパネル３３が接続されたインターフェイス部４５と、このインターフェイス部４５から操作信号が入力されるコントローラ（ＣＰＵ）４６と、バッテリ３６に接続されコントローラ４６に電源を供給する電源回路４７と、後述する第１出力テーブル５１および第２出力テーブル５７が記憶された記憶部４８と、温度センサ４９から構成されている。温度センサ４９は、図６（ａ）に示すように、外気温により検出電圧がリニアに変化するセンサである。
【００２６】
コントローラ（ＣＰＵ）４６は、インターフェイス部４５を介してキースイッチ３４がオンとなると、しゃ断器３７Ａおよびしゃ断器３８Ａへ閉信号を出力するとともに、操作スイッチパネル３３により選択された操作画面を液晶パネル４２に表示する画像表示機能などを有している。このようなコントローラ（ＣＰＵ）４６の本発明に係る機能を、図５の機能ブロック図に基づいて説明する。コントローラ４６には、しゃ断器３７Ａ，３８Ａの他に、充電器パネル４０、液晶パネル４２、ヒータ抵抗４４、インターフェイス部４５、電源回路４７、記憶部４８、および温度センサ４９が接続されている。
【００２７】
本発明に係る機能として、温度センサ４９から入力される検出電圧より、記憶部４８に予め記憶された第１出力テーブル｛図６（ａ）参照｝５１に基づいて外気温を求める外気温変換部５２と、この外気温変換部５２により求められた外気温に基づいて、バッテリ３６をタイマー制御充電するときのタイマーの充電時間を設定する充電時間設定部（充電時間設定手段の一例）５３と、電源回路４７からヒータ抵抗４４へ電力を供給するヒータスイッチ５４と、外気温変換部５２により求められた外気温に基づいてヒータ抵抗４４へ供給する電力を求め、ヒータスイッチ５４のＯＮ／ＯＦＦおよび求めた電力の供給を指令するヒータ制御部５５と、外気温変換部５２により求められた外気温に基づいて、記憶部４８に予め記憶された第２出力テーブル｛図６（ｂ）参照｝５７に基づいて液晶濃度補正値を求める濃度補正値設定部５８と、インターフェイス部４５を介して操作スイッチパネル３３およびキースイッチ３４の操作信号が入力される操作設定部５９と、操作設定部５９より出力されるメイン濃度（基準とする液晶濃度）（後述する）と濃度補正値設定部５８により求められた濃度補正値を加算する加算器６０と、加算器６０により求められた濃度設定値に基づいて、液晶パネル４２の電極に印加する電圧を調整する電圧制御部６１が設けられている。
【００２８】
前記操作設定部５９は、上記ヒータ制御部５５および電圧制御部６１を実行状態・非実行状態とし、しゃ断器３７Ａおよびしゃ断器３８Ａを開閉する第１機能と、リーチ式バッテリフォークリフト１０のサービスマンの操作に合わせて液晶パネル４２の設定操作画面を変更する信号を出力するとともに、上述したメイン濃度の設定を行う第２機能を有している。
【００２９】
第１機能として操作設定部５９は、キースイッチ３４のオン操作信号のみを確認すると、ヒータ制御部５５および電圧制御部６１へ出力する実行信号をオンしてこれらヒータ制御部５５および電圧制御部６１を実行状態とし、同時にしゃ断器３７Ａおよびしゃ断器３８Ａへ閉信号を出力し、またキースイッチ３４のオフ操作信号を確認すると、前記実行信号をオフとしてヒータ制御部５５および電圧制御部６１を非実行状態とし、しゃ断器３７Ａおよびしゃ断器３８Ａへの閉信号をオフとし、すなわち開信号を出力している。
【００３０】
上記操作設定部５９の第２機能を、図７を参照しながら説明する。
ステップ−１
まずサービスマンにより操作スイッチパネル３３の「Ｍキー」と「＋キー」が共に押され、同時にキースイッチ３４がオンされると、すなわちこれら操作信号を同時に入力したことを確認すると、液晶パネル４２の画像表示部（図示せず）に対して、サービスマン調整メニューの設定表示画面の表示を要求する。液晶パネル４２の画像表示部は、コントローラ４６に設けられ、予め複数の液晶パネル４２の画像のデータが格納され、指令に応じて画面を切り換えて表示し、表示内容の変更を行う機能を有している。
【００３１】
これにより、液晶パネル４２に最初の設定表示画面が表示される。
ステップ−２
次に、サービスマンにより操作スイッチパネル３３の「Ｍキー」が押されると、液晶パネル４２の画像表示部に対して設定表示画面の切り換えを要求する。すなわち、「Ｍキー」の操作信号が入力したことを確認する毎に、次の設定表示画面の表示を要求する。
【００３２】
これにより、液晶パネル４２に設定表示画面が切り換えて表示される。
ステップ−３，４
サービスマンは、液晶パネル４２に、液晶濃度設定を示す濃度設定表示画面が表示されたことを確認し、サービスマンにより「＋キー」または「−キー」が操作されると、現設定のメイン濃度を変更する。すなわち、画像表示部から濃度設定表示画面の表示がされていることを確認し、「＋キー」の操作信号が入力されたことを確認すると、入力する毎にメイン濃度の設定を濃くなる方向へ変更し、また「−キー」の操作信号が入力されたことを確認すると、入力する毎にメイン濃度の設定を薄くなる方向へ変更し、変更したメイン濃度設定を画像表示部へ出力する。これにより、液晶パネル４２の濃度設定表示画面の液晶濃度設定が変更され表示される。
ステップ−５，６
サービスマンは液晶パネル４２の液晶濃度設定の変更を確認し、サービスマンにより「Ｍキー」が押され、キースイッチ３４がオフされると、液晶濃度設定を確定し、液晶パネル４２の画像表示部に対して画面を閉じること（消すこと）を要求する。すなわち、濃度設定が変更された状態で、「Ｍキー」の操作信号を入力し、キースイッチ３４のオフ信号を入力したことを確認すると、変更された液晶濃度設定を確定してメイン濃度として加算器６０へ出力し、画面を閉じること（消すこと）を要求する。
【００３３】
これにより、液晶パネル４２に設定表示画面が消される。
このように操作設定部５９の第２機能により、サービスマンは液晶パネル４２のメイン濃度を環境に合わせて設定することができる。メイン濃度は、例えば、０〜１２８ポイントで設定されるものとし（ポイントが高いと濃度は濃くされる）、基準のメイン濃度を６８ポイントとし、「＋キー」または「−キー」の操作によるサービスマンによる濃度変更の際、０〜９０ポイントの間で可変可能として前記メイン濃度を求めている。これに第２出力テーブル５７に示す液晶濃度補正値（２６〜６ポイント）を加算して液晶濃度の制御を実施している。ポイントが上がれば液晶濃度は濃くなる。また外気温が低くなればポイントが上がり液晶濃度は濃くなる。
【００３４】
なお、前記ヒータスイッチ５４およびヒータ制御部５５により、加熱制御手段の一例が形成されている。また前記濃度補正値設定部５８、加算器６０および電圧制御部６１により、輝度調整手段の一例が形成され、またインターフェイス部４５、操作パネルスイッチ３３、キースイッチ３４および操作設定部５９により濃度設定手段の一例が形成されている。
【００３５】
前記充電時間設定部５３は、外気温が高くなるにしたがって、タイマー制御充電方式のタイマーによる充電時間を短く設定し、充電器パネル４０へ充電時間（タイマー時間）を出力する。タイマー制御充電方式では、充電器パネル４０は充電開始と同時にタイマーを動作し、カウントアップの設定時間（タイマーの設定時間）までは一定電流で充電し、カウントアップ後は、一定電流より小さな電流でトリクル充電を行う。外気温が高くなると、バッテリ３６の電解液が活性化され、充電がはやく完了するので、タイマーの時間（充電時間）を短くして過充電を防止する。
【００３６】
前記ヒータ制御部５５は、外気温が液晶パネル４２の使用温度範囲（例えば、５〜４０℃）より低いと、図８に示す、「供給する電力」−「ヒータ抵抗４４の表面温度Ａ」の特性に基づいて供給する電力を求め、供給する電力をヒータスイッチ５４へ指令する。すなわち、外気温が低くなるにしたがってヒータ抵抗４４へ供給する電力が増して指令し、ヒータ抵抗４４より発生する熱を増す。ヒータスイッチ５４は、指令された電力でヒータ抵抗４４に給電して液晶パネル４２の液晶を使用温度範囲となるように暖め、液晶パネル４２の液晶の温度を使用温度範囲に維持する。なお、ヒータ制御部５５は、インターフェイス部４５から入力されるキースイッチ３４がオンで操作設定部５９より実行信号が入力されているときのみ、ヒータスイッチ５４をオンし電力制御を行い、キースイッチ３４がオフで操作設定部５９より実行信号が入力されていないときはヒータスイッチ５４をオフとしている。
【００３７】
また前記輝度調整手段は、外気温が低くなるにしたがって、液晶パネル４２の液晶濃度を濃くする制御を行う。外気温が低くなると、液晶パネル４２の文字が薄くなり、反対に外気温が高くなると、文字が濃くなる。したがって、外気温が低くなると、濃度を濃くする補正を行う。すなわち、外気温が低くなると、第２出力テーブル５７から判断できるように濃度を濃くする補正値を出力し、操作設定部５９より出力されたメイン濃度を基として、自動的に濃度を濃くして外気温の影響を排除している。なお、電圧制御部６１は、インターフェイス部４５から入力されるキースイッチ３４がオンで操作設定部５９より実行信号が入力されているときのみ、液晶パネル４２の電極に電圧を印加し、キースイッチ３４がオフで操作設定部５９より実行信号が入力されていないときは電圧をゼロとしている。
【００３８】
このように、コントローラ４６の機能により、温度センサ４９から入力される検出電圧に基づいて、タイマー制御充電方式のタイマーの設定時間（充電時間）が設定され、ヒータ抵抗４４（ヒータスイッチ５４）のオン／オフおよび電力制御が実行され、液晶パネル４２の液晶濃度制御が実行される。
【００３９】
また本体部１１の閉空間における温度が温度センサ４９により測定されるので、液晶パネル４２の液晶、バッテリ３６の電解液の温度に近い温度を検出でき、精度が向上されている。
【００４０】
以上のように本実施の形態によれば、温度センサ４９により測定される外気温（周囲温度）が、液晶パネル４２の使用温度範囲より低くなると、ヒータ抵抗４４により液晶が暖められることにより、低温による液晶画面の応答速度の低下を防止することができる。また自動的にヒータ抵抗４４が投入されることにより、作業者がヒータをオン・オフする操作の手間を省くことができる。また１台の温度センサ４９により測定される外気温に基づいて、バッテリ３６の充電時間が設定され、液晶パネル４２の液晶濃度が制御されることにより、外気温に基づく設定や制御を集約でき、コストを低減することができる。
【００４１】
また本実施の形態によれば、液晶パネル４２の液晶は、液晶パネル４２とメータパネル（基板）４３との間に位置するヒータ抵抗４４により加熱されることにより、効率よく液晶自体を加熱することができる。またこのとき、ヒータ抵抗４４はメータパネル４３に取り付けられ、ヒータ抵抗４４へはメータパネル４３から電源が供給されることにより、ケーブル等のヒータ抵抗４４への電源ラインの引き回しを不要にできる。
【００４２】
また本実施の形態によれば、周囲温度が低くなるにしたがってヒータ抵抗４４へ供給する電力が増され、ヒータ抵抗４４より発生する熱が増されることにより、液晶パネル４２の液晶の温度を使用温度範囲に維持することができる。
【００４３】
また本実施の形態によれば、操作設定部５９において設定された液晶パネル４２の液晶濃度（メイン濃度）を基として、周囲温度に基づいて液晶パネル４２の液晶濃度が調整されることにより、周囲温度が変化してもサービスマンが設定した液晶濃度とすることができる。
【００４４】
なお、本実施の形態では、ヒータ制御部５５は、外気温が液晶パネル４２の使用温度範囲（例えば、５〜４０℃）より低くなるにしたがって、ヒータ抵抗４４へ供給する電力が増して指令しているが、電力を供給するヒータ抵抗４４の個数を変えるようにしてもよい。また電力制御を実行せず、単に、オン・オフ制御のみとすることも可能である。
【００４５】
また本実施の形態では、メータパネル４３のコントローラにより、ポンプモータ３７とドライブモータ３８を駆動しているが、別途コントローラを設けて、駆動するようにしてもよい。
【図面の簡単な説明】
【００４６】
【図１】本発明の実施の形態におけるバッテリ式作業車両の表示装置を搭載したリーチ式バッテリフォークリフトの側面図である。
【図２】同リーチ式バッテリフォークリフトの本体部の後部上方斜視図である。
【図３】同リーチ式バッテリフォークリフトの前面パネル部の要部断面図である。
【図４】同リーチ式バッテリフォークリフトの要部制御構成図である。
【図５】同リーチ式バッテリフォークリフトのコントローラの機能ブロック図である。
【図６】同リーチ式バッテリフォークリフトのコントローラの記憶部に記憶される出力テーブルの図である。
【図７】同リーチ式バッテリフォークリフトの液晶パネルにおける液晶濃度の変更手順を示すフローチャートである。
【図８】同リーチ式バッテリフォークリフトのヒータ抵抗の特性を示す図である。
【符号の説明】
【００４７】
１０  リーチ式バッテリフォークリフト
１１  本体部
１２  運転操作部
１３  アウトリガー部
１５  前面パネル部
１６  操作レバー装置
１７  ステアリングハンドル
１８  走行装置
２１  荷役部
２３  移動体
２４  リフト装置
２５  リーチシリンダ
２６  外マスト
２７  リフトシリンダ
２８  キャレッジ
２９  フォーク部材
３１  液晶表示装置
３３  操作スイッチパネル
３４  キースイッチ
３６  バッテリ
４０  充電器パネル
４２  液晶パネル
４３  メータパネル
４４  ヒータ抵抗
４６  コントローラ（ＣＰＵ）
４８  記憶部
４９  温度センサ
５１  第１出力テーブル
５２  外気温変換部
５３  充電時間設定部
５４  ヒータスイッチ
５５  ヒータ制御部
５７  第２出力テーブル
５８  濃度補正値設定部
５９  操作設定部
６０  加算器
６１  電圧制御部
【図１】
2010058713.tif 000003
【図２】
2010058713.tif 000004
【図３】
2010058713.tif 000005
【図４】
2010058713.tif 000006
【図５】
2010058713.tif 000007
【図６】
2010058713.tif 000008
【図７】
2010058713.tif 000009
【図８】
2010058713.tif 000010